(57)【要約】  本発明は、箱状断面を有する少なくとも１つのブームアーム（１０）を備えた固定式の又は移動可能な粘性物質ポンプのための分配ブームに関している。ブームアーム（１０）は互いに間隔を置いて配設された２つの側面壁部（１２、１４）を有しており、当該側面壁部（１２、１４）は互いに間隔を置いて配設された２つの横壁部（１６）を用いて互いに接続されている。それぞれの側面壁部（１２、１４）は、搬送ライン（３０）用の貫通穴（３２、３４）を有している。本発明に従い、側面壁部（１２、１４）の間に、これらに固定的に接続されたパイプ部（３６）にして、そのパイプ端部（３８、４０）を用いて貫通開口部（３２、３４）へ合流するパイプ部（３６）が延伸している。パイプ端部（３８、４０）及び隣り合う側面壁部（１２、１４）の間にそれぞれ１つのフランジ（４２、４４）が配設されており、当該フランジ（４２、４４）は、それぞれの前記パイプ端部（３８、４０）の外周縁に渡って環状に一回りして突出し、また、前記パイプ端部（３８、４０）にも、また同様に隣り合う前記側面壁部（１２、１４）にも、溶接されている。
2017526837.tif 000002
【特許請求の範囲】
【請求項１】
箱状断面を有する少なくとも１つのブームアーム（１０）、及び、少なくとも１つの前記ブームアーム（１０）に沿って案内されまたこれに固定されている搬送ライン（３０）、を備える固定式の又は移動可能な粘性物質ポンプのための分配ブームにして、
前記ブームアーム（１０）が互いに間隔を置いて配設された２つの側面壁部（１２、１４）を有し、当該側面壁部（１２、１４）が互いに間隔を置いて配設された２つの横壁部（１６）を用いて互いに接続されており、また、前記ブームアーム（１０）のそれぞれの側面壁部（１２、１４）が前記搬送ライン（３０）用の１つの貫通開口部（３２、３４）を有している、分配ブームにおいて、
前記側面壁部（１２、１４）の間に、これらに固定的に接続されたパイプ部（３６）にして、そのパイプ端部（３８、４０）を用いて前記貫通開口部（３２、３４）へ合流するパイプ部（３６）が延伸しており、また、前記パイプ端部（３８、４０）及び隣り合う前記側面壁部（１２、１４）の間にそれぞれ１つのフランジ（４２、４４）が配設されており、当該フランジ（４２、４４）が、前記パイプ端部（３８、４０）の外周縁に渡って環状に一回りして突出し、また、前記パイプ端部（３８、４０）にも、また同様に隣り合う前記側面壁部（１２、１４）にも、溶接されていること、
を特徴とする分配ブーム。
【請求項２】
請求項１に記載の分配ブームにおいて、
前記フランジ（４２、４４）がそれぞれ、環状に延びる溶接シームを用いて、前記パイプ端部（３８、４０）に、また同様に隣り合う前記側面壁部（１２、１４）に、接続されていること、
を特徴とする分配ブーム。
【請求項３】
請求項１又は２に記載の分配ブームにおいて、
前記フランジ（４２、４４）がそれぞれ、隣り合う前記側面壁部（１２、１４）の内側面（５０）にして、それぞれ他方の側面壁部（１２、１４）と向かい合う当該内側面（５０）に、当接していること、
を特徴とする分配ブーム。
【請求項４】
請求項１から３のいずれか一項に記載の分配ブームにおいて、
前記フランジ（４２、４４）の少なくとも一方が、環状に延びる突起部（５２）を有しており、当該突起部（５２）が関連する前記貫通開口部内へ突出していること、
を特徴とする分配ブーム。
【請求項５】
請求項４に記載の分配ブームにおいて、
前記突起部（５２）が、完全接続部（６０）を形成しつつ、関連する前記貫通開口部（３２）の周囲縁（５６）と溶接されていること、
を特徴とする分配ブーム。
【請求項６】
請求項５に記載の分配ブームにおいて、
前記突起部（５２）を受容する前記貫通開口部（３２）の前記周囲縁（５６）がベベル部を備えて設けられており、その結果、前記貫通開口部（３２）が前記内側面（５０）に離背する外側面（５８）に向かって拡張していること、
を特徴とする分配ブーム。
【請求項７】
請求項１から６のいずれか一項に記載の分配ブームにおいて、
前記フランジ（４２、４４）の少なくとも一方が、隅肉溶接部（６２）を形成しつつ、関連する前記側面壁部（１４）に溶接されていること、
を特徴とする分配ブーム。
【請求項８】
請求項１から７のいずれか一項に記載の分配ブームにおいて、
前記フランジ（４２、４４）がそれぞれ、少なくとも１つの直線的な部分（６６）を備える外側輪郭を有していること、
を特徴とする分配ブーム。
【請求項９】
請求項１から８のいずれか一項に記載の分配ブームにおいて、
前記貫通開口部（３２、３４）が、長手方向（１８）で互いに平行に延伸する前記側面壁部（１２、１４）の第１部位（２０）に配置されており、また、それらの長手方向（１８）で互いにずらされていること、
を特徴とする分配ブーム。
【請求項１０】
請求項９に記載の分配ブームにおいて、
前記側面壁部（１２、１４）の前記第１部位（２０）に、それらの両方の端部で更なる長手方向（２２）で互いに平行に延伸する前記側面壁部（１２、１４）の別の部位（２４）が接続していること、
を特徴とする分配ブーム。
【請求項１１】
請求項１から１０のいずれか一項に記載の分配ブームにおいて、
前記搬送ラインが非接触的に前記パイプ部（３６）を通って案内されていること、
を特徴とする分配ブーム。
【請求項１２】
請求項１０又は１１に記載の分配ブームにおいて、
特には直線状の前記搬送ライン（３０）が前記更なる長手方向（２２）で延伸していること、
を特徴とする分配ブーム。
【請求項１３】
請求項１から１２のいずれか一項に記載の分配ブーム（１０）内で用いるための予溶接構成グループにして、
パイプ部（３６）を備え、また、両方のパイプ端部（３８、４０）に溶接され、前記パイプ端部（３８、４０）の外縁に渡って周囲を取り囲んで突出するフランジ（４２、４４）を備える、予溶接構成グループ。
【請求項１４】
請求項１３に記載の予溶接構成グループにおいて、
前記パイプ部（３６）が長手軸に向かって鋭角に切断された円筒の形状を有すること、
を特徴とする予溶接構成グループ。
【請求項１５】
請求項１から１１のいずれか一項に記載の分配ブームを製造するための方法であって、
それぞれのパイプ端部（３８、４０）にそれぞれ１つのフランジ（４２、４４）を溶接することによって、１つのパイプ部（３６）及び２つのフランジ（４２、４４）から、請求項１３又は１４に記載の予溶接構成グループ（６４）が製造され、そして、前記予溶接構成グループ（６４）が側面壁部（１２、１４）及び横壁部（１６）をつなぎ合わせる前に、側面壁部（１２、１４）に溶接される方法。
【発明の詳細な説明】
【技術分野】
【０００１】
本発明は、固定式の又は移動可能な粘性物質ポンプのための分配ブームにして、箱状断面を有する少なくとも１つのブームアーム、及び、少なくとも１つのブームアームに沿って案内されまたこれに固定されている搬送ライン、を備える分配ブームに関するものであり、ブームアームは、互いに間隔を置いて配設された２つの側面壁部を有し、当該側面壁部は互いに間隔を置いて配設された２つの横壁部を用いて互いに接続されており、また、ブームアームの側面壁部はそれぞれ、搬送ライン用の貫通穴を有している。
【背景技術】
【０００２】
この種の固定式の又は移動可能なコンクリートポンプのための分配ブームは既知である（特許文献１参照）。ブームアームはそこではとりわけ重量上の理由から、箱状異形体（ケースプロフィール）として形成されている。その種の分配ブームには通常、搬送ラインが沿うように導かれており、それを用いて、粘性物質としての液状コンクリートがブームアームによって運ばれる離れた位置に送られる。その際、多くの利用状況では、搬送ラインがブームアームを横切ることが必要である。これは搬送ラインがブームアームの脇を通り過ぎて案内されることによって行われるが、構造上コスト高である。更に、２つの互いに向かい合うブームアームの側面壁部に、ブームアームに貫通開口部を設けること、及び、搬送ラインを貫通開口部を通過して案内することが知られている。ブームアーム内への雨水の侵入を避けるために、貫通開口部を通ってパイプが案内され、当該パイプは、搬送ラインを収容し、また、ブームアームの両側で隅肉溶接部を用いて側面壁部と固定的に接続されている。隅肉溶接部を設けることはコスト高である。通常のブームアームのサイズに基づくと、隅肉溶接は人の手により施されなければならず、それは製造コストを増加させる。
【先行技術文献】
【特許文献】
【０００３】
【特許文献１】ＤＥ  １０  ２０１２  ２１３  ７２９  Ａ１
【発明の概要】
【発明が解決しようとする課題】
【０００４】
これに由来して本発明は、冒頭述べた種類の分配ブームを、それがより簡潔に製造され得るように、更に発展させる、という課題に基づいている。
【０００５】
この課題を解決するために、請求項１に記載の特徴の組み合わせが提案される。本発明の有利な構成及び発展形態は従属請求項からもたらされる。
【０００６】
本発明は、パイプ部を、これまでのように直接側面壁部に接続させるのではなく、そのパイプ端部にそれぞれ、パイプ端部環の外周縁に渡って周囲を取り囲んで突出するフランジを配設するという考えに基づいている。パイプ部は典型的なブームアームと比べて比較的小さいので、パイプ部及びフランジから構成される予溶接構成グループ（プレ溶接構成グループ）を、自動化して溶接ロボットを用いて製造することが出来る。その後、予溶接構成グループは、側面壁部を横壁部につなぎ合わせる前に、側面壁部のそのフランジに、特には周囲を取り囲む溶接シームを用いて、固定され得る。当該溶接シームは、通過開口部の領域で雨水の侵入に対しブームアームを密閉する。側面壁部における通過開口部に基づいてブームアームが被る起こり得る弱体化は、予溶接構成グループによって、少なくとも部分的に補われ、その結果、搬送ラインによって突き抜かれているブームアームは十分に硬い。
【０００７】
本発明の有利な構成は、他方の側面壁部に向かい合っている関係する側面壁部の内側面のそれぞれに、フランジが当接することを企図している。その場合、フランジを側面壁部と接続する溶接シームは、容易に作製され得る。フランジは、貫通開口部の範囲で弱められた側面壁部を追加的に補強する。
【０００８】
本発明の更なる好ましい構成は、フランジの少なくとも一方が環状に延びる突起部を有しており、当該突起部が関連する貫通開口部内へ突出していることを、企図している。従って突起部は関連する貫通開口部の周囲縁と完全接続部を形成しつつ接続され得て、当該接続部は中空体に対してこの範囲において追加的な安定性を与える。有利にはこの目的のために突起部を収容する貫通開口部の周囲縁にベベル部（傾斜部、どて）が設けられており、その結果、貫通開口部が側面壁部の内面に離背する（反対側の）外面に向かって拡張している。完全接続部は従って、断面ではＶ形状であって、また、突起部及び貫通開口部の周囲縁の間の、外面に向かってより大きくなってゆくギャップに基づいて、特に簡潔に設けることが出来る。
【０００９】
追加的に、フランジの少なくとも一方が、隣り合う側面壁部と隅肉溶接を用いて接続されていてもよい。それにより、接続部の安定性についての高い要求が存在しない位置では、突起部を省略することで材料を節約することが出来る。この場合、隅肉溶接部は単純に環状に一回りして、貫通開口部の周囲縁に渡って内側へ張り出すフランジの縁に設けられる。
【００１０】
有利には、フランジはそれぞれ、少なくとも１つ直線的な部分を備えた外側輪郭を有している。その際、直線的な部分が組み付けの際に側面壁部の縁に対して平行に配設されることによって、直線的な部分は、割り当てられた側面壁部に関連した、良好な位置調整（アライメント）に役立つ。
【００１１】
本発明の長所は、複数の貫通開口部が互いに長手方向で平行に延伸する側面壁部の第１部位に配設されており、また、長手方向で互いにずらされている場合に、活用される。通常は、側面壁部の第１部位には、それらの側面壁部の双方で互いに平行に更なる長手方向に延伸する側面壁部の更なる部分が接続しているので、その結果、ブームアームにはオフセット部が形成され、当該オフセット部を通って搬送ラインが案内される。その際、更なる長手方向は、この状況では直線的な搬送ラインもその内部で延伸しているブームアームの長手延伸方向を定義している。
【００１２】
基本的に幾何学的な反転に従い、ブームアームの側面壁部が全ての長手方向の延伸に渡り直線的に延びること、及び、搬送ラインはこの状況では、それが側面壁部を中央領域で傾斜して通り抜けるように、オフセットされていること、も可能である。
【００１３】
全ての利用状況では、本発明に従い、予溶接構成グループが提案され、当該予溶接構成グループのパイプ部は、両方のパイプ端部に溶接され、パイプ端部の外側の周囲縁に渡って突出しているフランジを備えており、その際、パイプ部は好ましくは、その長手軸に対して鋭角で交わるシリンダの形態を有している。
【００１４】
以下において本発明は、図中で概略的に示されている実施例を用いてより詳細に説明される。
【図面の簡単な説明】
【００１５】
【図１ａ】貫通して導かれた搬送ラインを備えるブームアームを側面図で示す。
【図１ｂ】貫通して導かれた搬送ラインを備えるブームアームを上面図で示す。
【図２】１つのパイプ部及び２つのフランジから構成された予溶接グループを示す。
【図３】図１ａ及び図１ｂに従うブームアームの、予溶接構成グループの範囲での、概略的な長手方向断面図を示す。
【発明を実施するための形態】
【００１６】
図１ａ、図１ｂに示されている、箱状断面を有するブームアーム１０は、固定式の又は移動可能なコンクリートポンプの複数アームの分配ブームのために定められており、また、細粒鋼からなる２つの側面壁部１２、１４並びに当該側面壁部１２、１４と互いに接続され、同様に細粒鋼からなる横壁部１６を、有している。側面壁部１２、１４は、それぞれ１つの長手方向に延伸する第１部位２０、並びに、第１部位２０の両方の端部に接続し、更なる長手方向２２に延伸する更なる部位２４を有している。長手方向１８及び更なる長手方向２２は鋭角をなしており、その結果、側面壁部１２、１４の第１部位２０はオフセット部２６を形成している。ブームアーム１０には、マルマンクランプ２８を用いて、更なる長手方向で延伸している直線的なコンクリート搬送ライン３０が固定されている。オフセット部２６の領域では、搬送ライン３０がブームアーム１０を貫通している。この目的のため、それぞれの側面壁部１２、１４は通過開口部３２、３４を有しており、それらは長手方向１８で互いにずらされて配設されている。
【００１７】
搬送ライン３０は、オフセット部２６内に配設されたパイプ部３６を通って案内されており、そのパイプ端部３８、４０は通過開口部３２、３４に合流する。パイプ部は従来の構造用鋼から構成されていてもよい。パイプ端部３８、４０のそれぞれには、フランジ４２、４４が溶接されており、それはそれぞれ、パイプ端部３８、４０の領域のパイプ外面４６に渡って、すなわちその外周縁に渡って、環状に一回りして突出している。フランジ４２、４４は隅肉溶接部４８を用いてパイプ部３６と接続されており、また、それぞれ割り当てられた側面壁部１２、１４の内側面５０に面で当接している。両パイプ端部のうちの第１パイプ端部３８及び両側面壁部のうちの第１側面壁部１２の間に配設されている、両フランジのうちの第１フランジ４２は、追加的に、両通過開口部のうちの第１通過開口部３２内へ突出する突起部５２を有している。第１通過開口部３２はその周囲縁５４に更にベベル部５６を有しており、その結果、第１通過開口部３２は第１側面壁部１２の内側面５０の反対側の外側面５８に向かって拡がっている。突起部５２及び周囲縁５６の間の領域には、完全接続部６０として形成された溶接シームが配されている。完全接続部６０は第１側面壁部１２の第１部位２０を安定化しており、この第１部位２０がブーム先端へ向けられており、そのブーム先端の領域にはより強いねじり力が作用しているので、この安定化は特に有利である。パイプ部３６の反対側の端部には、第２パイプ端部４０と接続された第２フランジ４４が、第２通過開口部３４内へ突出する突起部なしで、形成されており、また、隅肉溶接６２として形成された環状に周囲を取り囲む溶接シームを介して、第２通過開口部３４の周囲縁５６に接続されている。
【００１８】
ブームアームを製造する際、先ず、パイプ部３６及びフランジ４２、４４から形成されるプレ溶接構成グループ（図２）が製造される。円筒形状のパイプ部３６はその際、互いに平行な平面で所定の長さに切断され、それらの平面は円筒中心軸と鋭角を作り、その鋭角は側面壁部１２、１４の第１部位２０と他方の部位２４の間の鋭角に対応する。更に、フランジ４２、４４はパイプ端部３８、４０に溶接される。これらはそれぞれ、複数の丸められた角部を有する多角形の輪郭を有しており、その結果、それらの輪郭は複数の直線的な部分６６を有し、それらの部分６６は、それぞれの側面壁部１２、１４の縁に対して平行に配置され得ることによって、それぞれの貫通開口部３２、３４への位置決めを容易にする。ブームアームの箱状異形体（ケースプロフィール）がオフセット部２６の範囲で完全に閉じられる前に、製造された予溶接構成グループ６４は側面壁部１２、１４に接続される。
【００１９】
要約すると以下の点が確認される。本発明は、固定式の又は移動可能な粘性物質ポンプのための分配ブームにして、箱状断面を有する少なくとも１つのブームアーム１０を備える分配ブームに関するものである。
ブームアーム１０は、互いに間隔をおいて配設された側面壁部１２、１４を有しており、それらは互いに間隔をおいて配設された２つの横壁部１６を用いて互いに接続されている。それぞれの側面壁部１２、１４は、搬送ライン３０用の通過開口部３２、３４を有している。本発明に従い、側面壁部１２、１４の間に、これらに固定的に接続され、そのパイプ端部３８、４０を用いて通過開口部３２、３４へ合流するパイプ部３６が延伸することが提案される。パイプ端部３８、４０及び隣り合う側面壁部１２、１４の間には、それぞれフランジ４２、４４が配設されており、当該フランジ４２、４４は、それぞれのパイプ端部３８、４０の外縁に渡って環状に取り囲んで突出しており、また、パイプ端部３８、４０にも同様に関係する側面壁部１２、１４にも溶接されている。
【符号の説明】
【００２０】
１０            ブームアーム
１２、１４      側面壁部
１６            横壁部
１８            長手方向
２０            第１部位
２２            更なる長手方向（別の長手方向）
２４            別の部位
２６            オフセット部
２８            マルマンクランプ
３０            搬送ライン
３２、３４      通過開口部
３６            パイプ部
３８、４０      パイプ端部
４２、４４      フランジ
４６            パイプ外面
４８、６２      ポケット縁部
５０            内面
５２            突起部
５４            周囲縁
５６            ベベル部（傾斜部、どて）
５８            外面
６０            完全接続部
６４            予溶接構成グループ
６６            直線的な部分
【図１ａ】
2017526837.tif 000003
【図１ｂ】
2017526837.tif 000004
【図２】
2017526837.tif 000005
【図３】
2017526837.tif 000006
【手続補正書】
【提出日】平成28年9月2日(2016.9.2)
【手続補正１】
【補正対象書類名】特許請求の範囲
【補正対象項目名】全文
【補正方法】変更
【補正の内容】
【特許請求の範囲】
【請求項１】
箱状断面を有する少なくとも１つのブームアーム（１０）、及び、少なくとも１つの前記ブームアーム（１０）に沿って案内されまたこれに固定されている搬送ライン（３０）、を備える固定式の又は移動可能な粘性物質ポンプのための分配ブームにして、
前記ブームアーム（１０）が互いに間隔を置いて配設された２つの側面壁部（１２、１４）を有し、当該側面壁部（１２、１４）が互いに間隔を置いて配設された２つの横壁部（１６）を用いて互いに接続されており、また、前記ブームアーム（１０）のそれぞれの側面壁部（１２、１４）が前記搬送ライン（３０）用の１つの貫通開口部（３２、３４）を有している、分配ブームにおいて、
前記貫通開口部（３２、３４）が、長手方向（１８）で互いに平行に延伸する前記側面壁部（１２、１４）の第１部位（２０）に配置されており、また、それらの長手方向（１８）で互いにずらされていること、
前記側面壁部（１２、１４）の間に、これらに固定的に接続されたパイプ部（３６）にして、そのパイプ端部（３８、４０）を用いて前記貫通開口部（３２、３４）へ合流するパイプ部（３６）が延伸しており、また、前記パイプ端部（３８、４０）及び隣り合う前記側面壁部（１２、１４）の間にそれぞれ１つのフランジ（４２、４４）が配設されており、当該フランジ（４２、４４）が、前記パイプ端部（３８、４０）の外周縁に渡って環状に一回りして突出し、また、前記パイプ端部（３８、４０）にも、また同様に隣り合う前記側面壁部（１２、１４）にも、溶接されていること、
を特徴とする分配ブーム。
【請求項２】
請求項１に記載の分配ブームにおいて、
前記フランジ（４２、４４）がそれぞれ、環状に延びる溶接シームを用いて、前記パイプ端部（３８、４０）に、また同様に隣り合う前記側面壁部（１２、１４）に、接続されていること、
を特徴とする分配ブーム。
【請求項３】
請求項１又は２に記載の分配ブームにおいて、
前記フランジ（４２、４４）がそれぞれ、隣り合う前記側面壁部（１２、１４）の内側面（５０）にして、それぞれ他方の側面壁部（１２、１４）と向かい合う当該内側面（５０）に、当接していること、
を特徴とする分配ブーム。
【請求項４】
請求項１から３のいずれか一項に記載の分配ブームにおいて、
前記フランジ（４２、４４）の少なくとも一方が、環状に延びる突起部（５２）を有しており、当該突起部（５２）が関連する前記貫通開口部内へ突出していること、
を特徴とする分配ブーム。
【請求項５】
請求項４に記載の分配ブームにおいて、
前記突起部（５２）が、完全接続部（６０）を形成しつつ、関連する前記貫通開口部（３２）の周囲縁（５６）と溶接されていること、
を特徴とする分配ブーム。
【請求項６】
請求項５に記載の分配ブームにおいて、
前記突起部（５２）を受容する前記貫通開口部（３２）の前記周囲縁（５６）がベベル部を備えて設けられており、その結果、前記貫通開口部（３２）が前記内側面（５０）に離背する外側面（５８）に向かって拡張していること、
を特徴とする分配ブーム。
【請求項７】
請求項１から６のいずれか一項に記載の分配ブームにおいて、
前記フランジ（４２、４４）の少なくとも一方が、隅肉溶接部（６２）を形成しつつ、関連する前記側面壁部（１４）に溶接されていること、
を特徴とする分配ブーム。
【請求項８】
請求項１から７のいずれか一項に記載の分配ブームにおいて、
前記フランジ（４２、４４）がそれぞれ、少なくとも１つの直線的な部分（６６）を備える外側輪郭を有していること、
を特徴とする分配ブーム。
【請求項９】
請求項１から８のいずれか一項に記載の分配ブームにおいて、
前記側面壁部（１２、１４）の前記第１部位（２０）に、それらの両方の端部で更なる長手方向（２２）で互いに平行に延伸する前記側面壁部（１２、１４）の別の部位（２４）が接続していること、
を特徴とする分配ブーム。
【請求項１０】
請求項１から９のいずれか一項に記載の分配ブームにおいて、
前記搬送ラインが非接触的に前記パイプ部（３６）を通って案内されていること、
を特徴とする分配ブーム。
【請求項１１】
請求項９又は１０に記載の分配ブームにおいて、
特には直線状の前記搬送ライン（３０）が前記更なる長手方向（２２）で延伸していること、
を特徴とする分配ブーム。
【請求項１２】
請求項１から１１のいずれか一項に記載の分配ブームにおいて、
前記パイプ部（３６）が長手軸に向かって鋭角に切断された円筒の形状を有すること、
を特徴とする分配ブーム。
【請求項１３】
請求項１から１２のいずれか一項に記載の分配ブームを製造するための方法であって、
それぞれのパイプ端部（３８、４０）にそれぞれ１つのフランジ（４２、４４）を溶接することによって、１つのパイプ部（３６）及び２つのフランジ（４２、４４）から、請求項１３又は１４に記載の予溶接構成グループ（６４）が製造され、そして、前記予溶接構成グループ（６４）が側面壁部（１２、１４）及び横壁部（１６）をつなぎ合わせる前に、側面壁部（１２、１４）に溶接される方法。
【国際調査報告】
2017526837.tif 000007
2017526837.tif 000008
2017526837.tif 000009
2017526837.tif 000010